(57)【要約】【課題】異種ネットワーク間端末のセル再探索を実行する方法及び装置を提供する。【解決手段】端末は、ＨＲＰＤ(Ｈｉｇｈ Ｒａｔｅ Ｐａｃｋｅｔ Ｄａｔａ)ネットワークに接続する。端末は、前記ＨＲＰＤネットワークから第１のメッセージを受信する。前記第１のメッセージは、ｉｎｔｅｒ-ＲＡＴ(Ｒａｄｉｏ ａｃｃｅｓｓ ｔｅｃｈｎｏｌｏｇｙ)測定に使われる周辺ＲＡＴ情報が前記ＨＲＰＤネットワークから送信されるか否かを示す周辺ＲＡＴ指示子を含む。端末は、前記周辺ＲＡＴ指示子が前記周辺ＲＡＴ情報の送信を指示する場合、前記周辺ＲＡＴ情報を含む第２のメッセージを前記ＨＲＰＤネットワークから受信する。端末は、前記周辺ＲＡＴ情報に基づいてセル再探索を実行する。【選択図】図４
2011523823.tif 000002
【特許請求の範囲】
【請求項１】
移動端末により行われる異種ネットワーク間のセル再探索を実行する方法において、
ＨＲＰＤネットワークに接続する段階と、
前記ＨＲＰＤネットワークから第１のメッセージを受信する段階であって、該第１のメッセージは、周辺無線アクセス技術（ＲＡＴ）指示子を含み、該周辺ＲＡＴ指示子は、ｉｎｔｅｒ-ＲＡＴ測定を実行するために使われる周辺ＲＡＴ情報が前記ＨＲＰＤネットワークから送信されるか否かを示す段階と、
前記周辺ＲＡＴ指示子が前記周辺ＲＡＴ情報の送信を示す場合、前記周辺ＲＡＴ情報を含む第２のメッセージを前記ＨＲＰＤネットワークから受信する段階と、及び、
前記周辺ＲＡＴ情報に基づいてセル再探索を実行する段階と、
を有する方法。
【請求項２】
前記第１のメッセージは、前記ＨＲＰＤネットワークが前記第２のメッセージを送信するために使用する周期であるＲＡＴ送信周期をさらに含む、請求項１に記載の方法。
【請求項３】
前記第１のメッセージは、前記第２のメッセージ内のシグネチャーと同じ値に設定されたシグネチャーをさらに含む、請求項２に記載の方法。
【請求項４】
前記第１のメッセージは、前記ＨＲＰＤネットワークによりブロードキャストされるＱｕｉｃｋＣｏｎｆｉｇメッセージである、請求項１に記載の方法。
【請求項５】
前記第１のメッセージは、前記ＨＲＰＤネットワークによりユニキャストされる、請求項１に記載の方法。
【請求項６】
前記第２のメッセージは、前記ＨＲＰＤネットワークによりブロードキャストされる、請求項１に記載の方法。
【請求項７】
前記周辺ＲＡＴ情報は、周辺ＲＡＴのタイプ及び周辺ＲＡＴの記録を含む、請求項１に記載の方法。
【請求項８】
第１の無線アクセス技術（ＲＡＴ）をサポートする第１のＲＡＴモデムと、
第２のＲＡＴをサポートする第２のＲＡＴモデムと、及び、
前記第１のＲＡＴモデムと前記第２のＲＡＴモデムとに動作可能に連結される制御器と、
を有する移動端末であって、前記制御器は、
第１のＲＡＴに接続し、
ｉｎｔｅｒ-ＲＡＴ測定を実行するために使われる周辺ＲＡＴ情報が前記第１のＲＡＴから送信されるか否かを示す周辺ＲＡＴ指示子を含む第１のメッセージを前記第１のＲＡＴから受信し、
前記周辺ＲＡＴ指示子が前記周辺ＲＡＴ情報の送信を示す場合、前記周辺ＲＡＴ情報を含む第２のメッセージを前記第１のＲＡＴから受信し、及び、
前記周辺ＲＡＴ情報に基づいてセル再探索を実行するよう構成される、移動端末。
【請求項９】
前記第１のメッセージは、ＨＲＰＤネットワークが前記第２のメッセージを送信するために使用する周期であるＲＡＴ送信周期をさらに含む、請求項８に記載の移動端末。
【請求項１０】
前記第１のメッセージは、前記第２のメッセージ内のシグネチャーと同じ値に設定されたシグネチャーをさらに含む、請求項９に記載の移動端末。
【請求項１１】
前記第１のＲＡＴは、ＨＲＰＤネットワークである、請求項８に記載の移動端末。
【請求項１２】
前記第１のメッセージは、前記ＨＲＰＤネットワークによりブロードキャストされるＱｕｉｃｋＣｏｎｆｉｇメッセージである、請求項１１に記載の移動端末。
【請求項１３】
前記第２のメッセージは、前記ＨＲＰＤネットワークによりブロードキャストされる、請求項１１に記載の移動端末。
【請求項１４】
前記周辺ＲＡＴ情報は、周辺ＲＡＴのタイプ及び周辺ＲＡＴの記録を含む、請求項８に記載の移動端末。
【請求項１５】
基地局により行われる無線アクセス技術（ＲＡＴ）情報を送信する方法において、
少なくとも一つの移動端末に第１のメッセージを送信する段階であって、該第１のメッセージは、該少なくとも一つの移動端末によるｉｎｔｅｒ-ＲＡＴ測定を実行するために使われる周辺ＲＡＴ情報が前記基地局により送信されるか否かを示す周辺ＲＡＴ指示子を有する段階と、及び、
前記周辺ＲＡＴ指示子が前記周辺ＲＡＴ情報の送信を示す場合、前記周辺ＲＡＴ情報を含む第２のメッセージを前記少なくとも一つの移動端末に送信する段階と、
を有する方法。
【発明の詳細な説明】
【技術分野】
【０００１】
本発明は、無線通信に関し、より詳しくは、異種ネットワーク間セル再探索を実行する方法及び装置に関する。
【背景技術】
【０００２】
無線通信システムは、音声やデータなどの様々なタイプの通信サービスを提供するために、広く世界中に普及している。一般的に、無線通信システムは、利用可能な無線リソースを共有することにより、複数ユーザとの通信をサポートすることができる多元接続システムである。多元接続システムの例は、時分割多元接続（ＴＤＭＡ）システム、符号分割多元接続（ＣＤＭＡ）システム、周波数分割多元接続（ＦＤＭＡ）システム、直交周波数分割多元接続（ＯＦＤＭＡ）システム、単一波周波数分割多元接続（ＳＣ−ＦＤＭＡ）システムなどを含む。
【０００３】
ＣＤＭＡ２０００は、ＣＤＭＡチャンネルを介して音声サービス及びデータサービスをサポートする。ＣＤＭＡ２０００は、ＩＳ-２０００、ＩＳ-９５及びＩＳ-８９５標準を含む。ＣＤＭＡ２０００の一部分であるＥＶ-ＤＯは、第３世代ＣＤＭＡ標準であって、高い送信率のパケットデータサービスを提供する。ＥＶ-ＤＯは、本来「ＥＶｏｌｕｔｉｏｎ、Ｄａｔａ-Ｏｎｌｙ」を表したが、近年、「ＥＶｏｌｕｔｉｏｎ、Ｄａｔａ-Ｏｐｔｉｍｉｚｅｄ」とも呼ばれる。ＥＶ-ＤＯは、３ＧＰＰ２(３ｒｄ Ｇｅｎｅｒａｔｉｏｎ Ｐａｒｔｎｅｒｓｈｉｐ Ｐｒｏｊｅｃｔ ２)標準化機構により規定されたＨＲＰＤ(Ｈｉｇｈ Ｒａｔｅ Ｐａｃｋｅｔ Ｄａｔａ)を基盤とする。ＨＲＰＤは、クアルコム(Ｑｕａｌｃｏｍｍ)社により開発された高速のＣＤＭＡベースの無線データ技術である。
【０００４】
無線通信システムが広く展開され、多様な無線通信システムが開発されることによって同じ地域に異種ネットワーク(ｈｅｔｅｒｏｇｅｎｅｏｕｓ ｎｅｔｗｏｒｋ)が共存する場合がよく発生している。異種ネットワークは、異なる無線アクセス技術(Ｒａｄｉｏ ａｃｃｅｓｓ ｔｅｃｈｎｏｌｏｇｙ：ＲＡＴ)を具現するネットワークをいう。例えば、一つの地域にＷＣＤＭＡ(Ｗｉｄｅｂａｎｄ-ＣＤＭＡ)システムとＨＲＰＤシステムが共存することができる。
【０００５】
要求されるＱｏＳ(Ｑｕａｌｉｔｙ ｏｆ Ｓｅｒｖｉｃｅ)、基地局の負荷などのような多様な理由で、ユーザは、異種ネットワーク間でハンドオーバーを実行する必要がある。異種ネットワーク間での効率的なハンドオーバーをサポートするためのセル再探索（Ｃｅｌｌ  Ｒｅ−ｓｅａｒｃｈ）方法が必要である。
【発明の概要】
【発明が解決しようとする課題】
【０００６】
本発明が解決しようとする技術的課題は、異種ネットワーク間でセル再探索を実行する方法及び装置を提供することである。
【０００７】
本発明が解決しようとする他の技術的課題は、周辺ＲＡＴ情報を送信する方法及び装置を提供することである。
【課題を解決するための手段】
【０００８】
一態様において、異種ネットワーク間でのセル再探索を実行する方法が提供される。移動端末（ＭＴ）は、ＨＲＰＤ(Ｈｉｇｈ Ｒａｔｅ Ｐａｃｋｅｔ Ｄａｔａ)ネットワークに接続する。端末は、前記ＨＲＰＤネットワークから第１のメッセージを受信する。前記第１のメッセージは、ｉｎｔｅｒ-ＲＡＴ(Ｒａｄｉｏ ａｃｃｅｓｓ ｔｅｃｈｎｏｌｏｇｙ)測定の実行に使われる周辺ＲＡＴ情報が前記ＨＲＰＤネットワークから送信されるか否かを示す周辺ＲＡＴ指示子を含む。端末は、前記周辺ＲＡＴ指示子が前記周辺ＲＡＴ情報の送信を示す場合、前記周辺ＲＡＴ情報を含む第２のメッセージを前記ＨＲＰＤネットワークから受信する。端末は、前記周辺ＲＡＴ情報に基づいてセル再探索を実行する。
【０００９】
前記第１のメッセージは、前記ＨＲＰＤネットワークで前記第２のメッセージが送信される周期であるＲＡＴ送信周期をさらに含む。前記第１のメッセージは、前記第２のメッセージ内のシグネチャー（Ｓｉｇｎａｔｕｒｅ）と同じ値に設定されたシグネチャーをさらに含む。
【００１０】
前記第１のメッセージは、前記ＨＲＰＤネットワークによりブロードキャストされるＱｕｉｃｋＣｏｎｆｉｇメッセージである。前記第２のメッセージは、前記ＨＲＰＤネットワークによりブロードキャストされる。
【００１１】
前記周辺ＲＡＴ情報は、周辺ＲＡＴのタイプ及び周辺ＲＡＴの記録を含む。
【００１２】
他の態様において、端末は、第１のＲＡＴ(Ｒａｄｉｏ ａｃｃｅｓｓ ｔｅｃｈｎｏｌｏｇｙ)をサポートする第１のＲＡＴモデム、第２のＲＡＴをサポートする第２のＲＡＴモデム、及び前記第１のＲＡＴモデム及び前記第２のＲＡＴモデムと連結される制御器を含む。前記制御器は、第１のＲＡＴに接続し、前記第１のＲＡＴから第１のメッセージを受信し、前記第１のメッセージは、ｉｎｔｅｒ-ＲＡＴ(Ｒａｄｉｏ ａｃｃｅｓｓ ｔｅｃｈｎｏｌｏｇｙ)測定に使われる周辺ＲＡＴ情報が前記第１のＲＡＴから送信されるか否かを示す周辺ＲＡＴ指示子を含み、及び前記周辺ＲＡＴ指示子が前記周辺ＲＡＴ情報の送信を指示する場合、前記周辺ＲＡＴ情報を含む第２のメッセージを前記ＨＲＰＤネットワークから受信し、及び前記周辺ＲＡＴ情報に基づいてセル再探索を実行する。
【００１３】
また、他の態様において、基地局がＲＡＴ(Ｒａｄｉｏ ａｃｃｅｓｓ ｔｅｃｈｎｏｌｏｇｙ)情報を送信する方法が提供される。基地局は、少なくとも一つの端末に第１のメッセージを送信する。前記第１のメッセージは、少なくとも一つの端末によりｉｎｔｅｒ-ＲＡＴ測定に使われる周辺ＲＡＴ情報が前記基地局により送信されるか否かを示す周辺ＲＡＴ指示子を含む。基地局は、前記周辺ＲＡＴ指示子が前記周辺ＲＡＴ情報の送信を指示する場合、前記周辺ＲＡＴ情報を含む第２のメッセージを前記少なくとも一つの端末に送信する。
【発明の効果】
【００１４】
端末は、周辺ＲＡＴ情報によってセル再探索を実行することができる。周辺ＲＡＴの測定に伴う電力消耗を減らすことができる。従って、異種ネットワーク間での効率的なハンドオーバーを実行することができる。
【図面の簡単な説明】
【００１５】
【図１】異種ネットワーク間のハンドオーバーを示す。
【図２】本発明の一実施例に係る異種ネットワーク間セル再探索を実行する方法を示す。
【図３】本発明の一実施例を具現する端末のブロック図を示す。
【図４】本発明の一実施例に係る周辺ＲＡＴ情報送信を示す流れ図である。
【図５】本発明の一実施例に係る周辺ＲＡＴ情報送信を示す流れ図である。
【発明を実施するための形態】
【００１６】
ＣＤＭＡ(ｃｏｄｅ ｄｉｖｉｓｉｏｎ ｍｕｌｔｉｐｌｅ ａｃｃｅｓｓ)は、ＣＤＭＡ２０００のような無線技術に適用されることができる。３ＧＰＰ２(３ｒｄ Ｇｅｎｅｒａｔｉｏｎ Ｐａｒｔｎｅｒｓｈｉｐ Ｐｒｏｊｅｃｔ ２)標準化機構により規定されたＨＲＰＤ(Ｈｉｇｈ Ｒａｔｅ Ｐａｃｋｅｔ Ｄａｔａ)は、ＣＤＭＡ２０００ベースのシステムで高いパケットデータサービスを提供する。ｅＨＲＰＤ(ｅｖｏｌｖｅｄ ＨＲＰＤ)は、ＨＲＰＤの進化である。以下、ＨＲＰＤは、ＨＲＰＤ及び/またはｅＨＲＰＤを意味する。ＷＣＤＭＡ(Ｗｉｄｅｂａｎｄ ＣＤＭＡ)は、３ＧＰＰ標準化機構により規定されたＵＴＲＡＮ(Ｕｎｉｖｅｒｓａｌ Ｔｅｒｒｅｓｔｒｉａｌ Ｒａｄｉｏ Ａｃｃｅｓｓ Ｎｅｔｗｏｒｋ)のような無線技術で具現されることができる。ＴＤＭＡ(ｔｉｍｅ ｄｉｖｉｓｉｏｎ ｍｕｌｔｉｐｌｅ ａｃｃｅｓｓ)は、ＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)/ＧＰＲＳ(Ｇｅｎｅｒａｌ Ｐａｃｋｅｔ Ｒａｄｉｏ Ｓｅｒｖｉｃｅ)/ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術で具現されることができる。ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)は、ＩＥＥＥ８０２.１１(Ｗｉ-Ｆｉ)、ＩＥＥＥ８０２.１６(ＷｉＭＡＸ)、ＩＥＥＥ８０２-２０、Ｅ-ＵＴＲＡＮ(Ｅｖｏｌｖｅｄ-ＵＴＲＡＮ)などのような無線技術で具現されることができる。ＬＴＥ(ｌｏｎｇ  ｔｅｒｍ  ｅｖｏｌｕｔｉｏｎ)は、Ｅ-ＵＴＲＡＮを使用するＥ-ＵＭＴＳ(Ｅｖｏｌｖｅｄ-ＵＭＴＳ)の一部であり、ダウンリンクでＯＦＤＭＡを採用し、アップリンクでＳＣ-ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)を採用する。ＬＴＥ-Ａ(Ａｄｖａｎｃｅｄ)は、ＬＴＥの進化である。
【００１７】
移動端末(Ｍｏｂｉｌｅ Ｔｅｒｍｉｎａｌ：ＭＴ)は、固定され、又は移動性を有することができ、 ユーザ装置(Ｕｓｅｒ Ｅｑｕｉｐｍｅｎｔ：ＵＥ)、移動局(ｍｏｂｉｌｅ ｓｔａｔｉｏｎ：ＭＳ)、ユーザ端末(ｕｓｅｒ ｔｅｒｍｉｎａｌ：ＵＴ)、加入者局 (ｓｕｂｓｃｒｉｂｅｒ ｓｔａｔｉｏｎ：ＳＳ)、無線機器(ｗｉｒｅｌｅｓｓ ｄｅｖｉｃｅ)、ＰＤＡ(ｐｅｒｓｏｎａｌ ｄｉｇｉｔａｌ ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)、アクセス端末 (Ａｃｃｅｓｓ Ｔｅｒｍｉｎａｌ：ＡＴ)等、他の用語で呼ばれることができる。基地局(Ｂａｓｅ Ｓｔａｔｉｏｎ；ＢＳ)は、一般的に、端末と通信する固定局(ｆｉｘｅｄ ｓｔａｔｉｏｎ)をいい、ｅＮＢ(ｅｖｏｌｖｅｄ-ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)、アクセスネットワーク(Ａｃｃｅｓｓ Ｎｅｔｗｏｒｋ：ＡＮ)等、他の用語で呼ばれることができる。ダウンリンク(ｄｏｗｎｌｉｎｋ)は、基地局から端末への通信を意味し、アップリンク(ｕｐｌｉｎｋ)は、端末から基地局への通信を意味する。ダウンリンクにおいて、送信機は基地局の一部分であり、受信機は端末の一部分である。アップリンクにおいて、送信機は端末の一部分であり、受信機は基地局の一部分である。
【００１８】
ハンドオーバーは、ハンドオフ(ｈａｎｄｏｆｆ)とも呼ばれ、端末がサービスの提供を受けている基地局(サービング基地局)から他の基地局(ターゲット基地局)へ移動することをいう。異種ネットワークは、相違のＲＡＴ(Ｒａｄｉｏ ａｃｃｅｓｓ ｔｅｃｈｎｏｌｏｇｙ)を使用するネットワークをいう。異種ネットワーク間のハンドオーバーは、ＨＲＰＤ及びＥ-ＵＴＲＡＮ、ＨＲＰＤ及びＵＴＲＡＮ、ＨＲＰＤ及びＷｉＭＡＸ間、ＨＲＰＤ及びＧＳＭ/ＧＰＲＳ/ＥＤＧＥ間のハンドオーバーを含む。
【００１９】
図１は、異種ネットワーク間のハンドオーバーを示す。端末３０が現在サービスの提供を受けているサービング基地局１１を含むＲＡＴをサービングＲＡＴ(または第１のＲＡＴ)１０といい、ＨＲＰＤを基盤とする。端末３０がハンドオーバーを介して移動しようとするターゲット基地局２１を含むＲＡＴをターゲットＲＡＴ(または第２のＲＡＴ)２０といい、Ｅ-ＵＴＲＡＮを基盤とする。
【００２０】
異種ネットワーク間ハンドオーバーとして、ＨＲＰＤからＥ-ＵＴＲＡＮ(またはＬＴＥともいう)へのハンドオーバーを考慮しているが、これは例示に過ぎず、ターゲットＲＡＴのＲＡＴを限定することではない。本発明の技術的思想は、ＨＲＰＤを基盤とするサービングＲＡＴから周辺ＲＡＴへのハンドオーバーに適用されることができる。
【００２１】
図２は、本発明の一実施例に係る異種ネットワーク間セル再探索を実行する方法を示す。セル再探索は、サービングセルに接続された状態でハンドオーバーを実行するためのセル測定及び/または新しいセルへの接続決定を含む。
【００２２】
図２を参照すると、段階Ｓ２１０で、パワーがＯＮになった後、端末は、ＨＲＰＤネットワークに接続を試みてＨＲＰＤに接続する。ＨＲＰＤがサービングＲＡＴとなる。
【００２３】
段階Ｓ２２０で、ＨＲＰＤは、端末に周辺(ｎｅｉｇｈｂｏｒ)ＲＡＴ情報を送る。周辺ＲＡＴ情報は、異種ＲＡＴ間の測定(以下、ｉｎｔｅｒ-ＲＡＴ測定)を実行するために端末により使用される情報である。周辺ＲＡＴ情報は、周辺ＲＡＴの種類、端末が周辺ＲＡＴの境界に位置するか否か、周辺ＲＡＴのリスト及び周辺ＲＡＴの優先順位(ｐｒｉｏｒｉｔｙ)のうち少なくともいずれか一つを含むことができる。周辺ＲＡＴ情報は、ブロードキャストメッセージ及び/またはユニキャスト(ｕｎｉｃａｓｔ)メッセージを介して伝達されることができる。ブロードキャストメッセージは、ネットワークがセル内のあらゆる端末に送るメッセージであって、ネットワークと端末との間の接続のためのシステム情報であってもよい。ブロードキャストメッセージは、オーバーヘッド(ｏｖｅｒｈｅａｄ)メッセージともいう。ユニキャストメッセージは、ネットワークが一つまたはその以上の端末にのみ送るメッセージであって、無線リソース制御(Ｒａｄｉｏ Ｒｅｓｏｕｒｃｅ Ｃｏｎｔｒｏｌ：ＲＲＣ)メッセージ、メディア・アクセス制御(Ｍｅｄｉｕｍ Ａｃｃｅｓｓ Ｃｏｎｔｒｏｌ：ＭＡＣ)メッセージ及び物理階層(ｐｈｙｓｉｃａｌ ｌａｙｅｒ)メッセージのうち少なくともいずれか一つである。
【００２４】
段階Ｓ２３０で、端末は、周辺ＲＡＴ情報によってｉｎｔｅｒ-ＲＡＴ測定を実行する。
【００２５】
段階Ｓ２４０で、端末は、測定結果によって周辺ＲＡＴ、即ち、Ｅ-ＵＴＲＡＮへハンドオーバーするかどうかを決定する。ハンドオーバー決定は、ｉｎｔｅｒ-ＲＡＴ測定結果によって端末が自律的に決定してＨＲＰＤに知らせることができる。または、端末がｉｎｔｅｒ-ＲＡＴ測定結果をＨＲＰＤに送り、ＨＲＰＤが端末にＥ-ＵＴＲＡＮへのハンドオーバーを指示することができる。
【００２６】
段階Ｓ２５０で、ハンドオーバー決定が確認されると、端末は、Ｅ-ＵＴＲＡＮへの接続を試みる。
【００２７】
端末は、周辺ＲＡＴ情報を利用して他のＲＡＴの境界に位置するか否かが分かり、端末が他のＲＡＴの境界に位置する時にｉｎｔｅｒ-ＲＡＴ測定を開始する。従って、ｉｎｔｅｒ-ＲＡＴ測定による電力消耗を減らすことができる。
【００２８】
図３は、本発明の一実施例を具現する端末のブロック図を示す。端末３００は、制御器３１０、第１のＲＡＴモデム３２０及び第２のＲＡＴモデム３３０を含む。端末は、２個の異なるネットワークをサポートするため、これをデュアルモード端末という。第１のＲＡＴモデム３２０は、第１のＲＡＴとの通信をサポートし、第２のＲＡＴモデム３３０は、第２のＲＡＴとの通信をサポートする。制御器３１０は、第１のＲＡＴモデム３２０及び第２のＲＡＴモデム３３０と連結され、第１のＲＡＴと第２のＲＡＴとの間のセル再探索またはハンドオーバーを具現する。
【００２９】
第１のＲＡＴが現在接続中であるサービングＲＡＴと仮定する。このとき、第２のＲＡＴとは通信しないため、第２のＲＡＴモデム３３０をスリープ(ｓｌｅｅｐ)モードにして電力消耗を最小化する。制御器３１０は、第１のＲＡＴから周辺ＲＡＴ情報を受け、第２のＲＡＴの境界に進入したかどうかを確認する。周辺ＲＡＴ情報から第２のＲＡＴの境界に進入したことを確認した制御器３１０は、第２のＲＡＴモデム３３０をスリープモードから起動させ、セル再探索を実行するようにする。
【００３０】
端末が他のＲＡＴにハンドオーバーをするためには、他のＲＡＴを周期的/非周期的に探索することが必要であるため、第２のＲＡＴモデム３３０は、他のＲＡＴを探索する度に動作する。第２のＲＡＴモデム３３０が、Ｉｎｔｅｒ-ＲＡＴ測定及びセル再探索を実行するために連続的に動作する時、端末のバッテリー消耗が増加する。異種ネットワークに端末が進入した時、端末にセル探索を指示することによって、第２のＲＡＴモデム３３０の動作時点を調節することができる。従って、ｉｎｔｅｒ-ＲＡＴ測定及びハンドオーバーにともなう端末のバッテリー消耗を減らすことができる。
【００３１】
以下、セル再選択を実行する方法に対し、さらに詳細に記述する。
【００３２】
図４は、本発明の一実施例に係る周辺ＲＡＴ情報送信を示す流れ図である。段階Ｓ４１０で、ＨＲＰＤネットワークは、ＱｕｉｃｋＣｏｎｆｉｇメッセージを送信する。これを第１のメッセージという。２００７年３月に開示された３ＧＰＰ２  Ｃ.Ｓ００２４「ｃｄｍａ２０００ Ｈｉｇｈ Ｒａｔｅ Ｐａｃｋｅｔ Ｄａｔａ Ａｉｒ Ｉｎｔｅｒｆａｃｅ」バージョン２.０の７.１１節によると、ＨＲＰＤネットワークのブロードキャスト情報は、オーバーヘッド(ｏｖｅｒｈｅａｄ)メッセージを介して伝達される。オーバーヘッドメッセージ・プロトコル(ｏｖｅｒｈｅａｄ ｍｅｓｓａｇｅ ｐｒｏｔｏｃｏｌ：ＯＭＰ)は、オーバーヘッドメッセージの送信及び受信と関連付けられている手順を提供する。ＱｕｉｃｋＣｏｎｆｉｇメッセージは、制御チャンネル上にネットワークによりブロードキャストされ、オーバーヘッド(ｏｖｅｒｈｅａｄ)メッセージの内容に変化があるか否かを知らせ、頻繁に変更される情報の提供に使われる。
【００３３】
ＱｕｉｃｋＣｏｎｆｉｇメッセージは、周辺ＲＡＴ情報を伝える周辺ＲＡＴメッセージが送信されたかどうかの情報を含むことができる。ＱｕｉｃｋＣｏｎｆｉｇメッセージに含まれるフィールドの一例は、次の表の通りである。
【００３４】
【表１】
2011523823.tif 000003
【００３５】
周辺ＲＡＴ指示子(Ｎｅｉｇｈｂｏｒ ＲＡＴ Ｉｎｄｉｃａｔｏｒ)は、周辺ＲＡＴ情報が送信されるか否かを知らせる。例えば、周辺ＲＡＴ指示子が１ビット情報と仮定する。周辺ＲＡＴ指示子が「１」にセッティングされると、ＨＲＰＤネットワークは、周辺ＲＡＴメッセージをブロードキャストする。周辺ＲＡＴ指示子が「０」にセッティングされると、ＨＲＰＤネットワークは、周辺ＲＡＴメッセージを送信せず、端末も前記周辺ＲＡＴメッセージの受信を待機しない。
【００３６】
段階Ｓ４２０で、周辺ＲＡＴ指示子が周辺ＲＡＴ情報の送信を指示すると、ＨＲＰＤネットワークは、周辺ＲＡＴメッセージを送信する。周辺ＲＡＴメッセージは、ｉｎｔｅｒ-ＲＡＴ測定を実行するために使われる周辺ＲＡＴ情報を含み、これを第２のメッセージという。周辺ＲＡＴメッセージに含まれるフィールドの一例は、次の表の通りである。
【００３７】
【表２】
2011523823.tif 000004
【００３８】
「ＲＡＴ種類」フィールドは、周辺ＲＡＴのタイプ、例えば、Ｅ-ＵＴＲＡＮやＵＴＲＡＮを示す。「境界」フィールドは、端末が周辺ＲＡＴの境界に位置するか否かを知らせる。例えば、「境界」フィールドが「１」にセッティングされると、端末は、周辺ＲＡＴの境界に位置し、ｉｎｔｅｒ-ＲＡＴ測定を開始する。「境界」フィールドが「０」にセッティングされると、端末は、周辺ＲＡＴの境界には位置せず、ｉｎｔｅｒ-ＲＡＴ測定を実行しない。「周辺ＲＡＴ記録の長さ」は、「周辺ＲＡＴ記録」の長さを示す。「周辺ＲＡＴ記録」フィールドは、周辺ＲＡＴに関する記録、例えば、周辺ＲＡＴに以前に接続した記録などを示す。「優先順位」は、セル再探索で周辺ＲＡＴの優先順位を示す。このフィールドは、複数の周辺ＲＡＴが存在する場合に優先順位が高いＲＡＴに優先的にハンドオーバーを実行するために使われる。
【００３９】
他の例として、周辺ＲＡＴメッセージに一つまたはその以上の周辺ＲＡＴに対する周辺ＲＡＴ情報が含まれることができる。このとき、周辺ＲＡＴメッセージに含まれるフィールドの一例は、次の表の通りである。
【００４０】
【表３】
2011523823.tif 000005
【００４１】
「周辺ＲＡＴ数」は、周辺ＲＡＴの個数を示し、周辺ＲＡＴの個数と同数の各周辺ＲＡＴに対する情報が含まれる。
【００４２】
ＱｕｉｃｋＣｏｎｆｉｇメッセージの受信後、端末が周辺ＲＡＴメッセージを受信するためにＲＡＴ送信周期を使うことができる。ＲＡＴ送信周期は、周辺ＲＡＴメッセージが送信される周期をいう。端末は、周辺ＲＡＴ指示子がセッティングされると、ＲＡＴ送信周期ごとに周辺ＲＡＴメッセージの受信可否を確認する。ＲＡＴ送信周期は、予め設定された値であってもよく、ネットワークが端末に知らせることもできる。
【００４３】
または、端末がＱｕｉｃｋＣｏｎｆｉｇメッセージ以後の周辺ＲＡＴメッセージを受信するためにＲＡＴ監視(ｓｕｐｅｒｖｉｓｉｏｎ)タイマーを使用することができる。例えば、端末は、周辺ＲＡＴ指示子がセッティングされると、ＲＡＴ監視タイマーを開始(ｓｔａｒｔ)または再開始する。ＲＡＴ監視タイマーが動作中である時、周辺ＲＡＴメッセージの受信可否をモニタリングする。周辺ＲＡＴメッセージが受信されると、ＲＡＴ監視タイマーは中断される(ｓｔｏｐ)。監視タイマーが満了する時まで周辺ＲＡＴメッセージが受信されないと、周辺ＲＡＴメッセージの受信失敗と処理する。ＲＡＴ監視タイマーの値は、予め設定された値であってもよく、ネットワークが端末に知らせることもできる。
【００４４】
段階Ｓ４３０で、端末は、周辺ＲＡＴメッセージに含まれた周辺ＲＡＴ情報を利用してｉｎｔｅｒ-ＲＡＴ測定を実行する。
【００４５】
図５は、本発明の一実施例に係る周辺ＲＡＴ情報送信を示す流れ図である。段階Ｓ５１０で、ＨＲＰＤネットワークはＱｕｉｃｋＣｏｎｆｉｇメッセージを送信する。ＱｕｉｃｋＣｏｎｆｉｇメッセージは、周辺ＲＡＴ情報を運ぶ周辺ＲＡＴメッセージが送信されるか否かに関する情報を含むことができる。ＱｕｉｃｋＣｏｎｆｉｇメッセージに含まれるフィールドの一例は、次の表の通りである。
【００４６】
【表４】
2011523823.tif 000006
【００４７】
セクターシグネチャー(Ｓｅｃｔｏｒ Ｓｉｇｎａｔｕｒｅ)フィールドは、次のセクターパラメーターのセクターシグネチャーの値を含む。セクターシグネチャーフィールドは、端末に周辺ＲＡＴ情報が最新であるかを知らせ、端末が次のセクターパラメーターメッセージを読む必要があるか否かを知らせる。
【００４８】
段階Ｓ５２０で、ＨＲＰＤネットワークは、周辺ＲＡＴ情報を含むセクターパラメーターメッセージを送信する。３ＧＰＰ２ Ｃ.Ｓ００２４の７.１１.６.２.２節によると、セクターパラメーターメッセージは、端末にセクター特定情報を伝達するために使われる。別途のメッセージを設計せず、既存のセクターパラメーターメッセージに周辺ＲＡＴ情報を含ませる。
【００４９】
周辺ＲＡＴ情報を含むセクターパラメーターメッセージのフィールドは、次の表のように構成されることができる。
【００５０】
【表５】
2011523823.tif 000007
【００５１】
セクターパラメーターメッセージの内容が変更されると、セクターシグネチャー(Ｓｅｃｔｏｒ Ｓｉｇｎａｔｕｒｅ)フィールドが変更される。セクターシグネチャーフィールドは、ＱｕｉｃｋＣｏｎｆｉｇメッセージ内のセクターシグネチャーフィールドと同じ値に設定される。「周辺ＲＡＴ」フィールドは、各周辺ＲＡＴに対する情報をいい、表２の「周辺ＲＡＴ」に含まれた内容の一部または全部を含むことができる。
【００５２】
端末は、以下の様にセクターパラメーターメッセージを受信する。ＱｕｉｃｋＣｏｎｆｉｇメッセージを受信した端末は、ＱｕｉｃｋＣｏｎｆｉｇメッセージに含まれたセクターシグネチャーフィールドが以前のＱｕｉｃｋＣｏｎｆｉｇメッセージのセクターシグネチャーフィールドと一致するか否かを判断する。２つのセクターシグネチャーフィールドが互いに一致しない場合、ＱｕｉｃｋＣｏｎｆｉｇメッセージに含まれたセクターシグネチャーフィールドに対応するセクターパラメーターメッセージを受信する。
【００５３】
段階Ｓ５３０で、端末は、セクターパラメーターメッセージに含まれた周辺ＲＡＴ情報を利用してｉｎｔｅｒ-ＲＡＴ測定を実行する。
【００５４】
周辺ＲＡＴ指示子を運ぶ第１のメッセージは、ネットワークによりユニキャスト(ｕｎｉｃａｓｔ)されることができる。次の表は、第１のメッセージに含まれるフィールドの例を示す。
【００５５】
【表６】
2011523823.tif 000008
【００５６】
「ユニキャストＩＤ」は、周辺ＲＡＴ情報を受信する特定端末のＩＤまたは周辺ＲＡＴ情報を受信する端末グループのＩＤであってもよい。
【００５７】
第１のメッセージがユニキャストメッセージである時、周辺ＲＡＴ情報を運ぶ第２のメッセージは、ネットワークによりユニキャストされることができる。次の表は、第２のメッセージに含まれるフィールドの例を示す。
【００５８】
【表７】
2011523823.tif 000009
【００５９】
前記実施例の表１ないし表７に示すメッセージのフィールドは、例示にすぎない。例示されたフィールドの全部が必須的なものではなく、複数のフィールドは省略されることができ、他のフィールドがさらに追加されることができる。フィールドの名称及びフィールドの長さは変形されることができ、これらによって本発明の技術的思想が制限されることではない。
【００６０】
前述した例示的なシステムにおいて、方法は、一連の段階またはブロックとして順序図に基づいて説明されているが、本発明は、段階の順序に限定されることではなく、ある段階は、前述と異なる段階と異なる順序に、または同時に発生することができる。また、当業者であれば、順序図に示す段階が排他的でなく、他の段階が含まれたり、或いは順序図の一つまたはその以上の段階が本発明の範囲に影響を及ぼさずに削除されることを理解することができる。
【００６１】
前述した実施例は、多様な態様の例示を含む。多様な態様を示すためのあらゆる可能な組合せを記述することはできないが、該当技術分野の通常の知識を有する者は、他の組合せが可能であることを認識することができる。従って、本発明は、特許請求の範囲内に属するあらゆる他の交替、修正及び変更を含む。
【図１】
2011523823.tif 000010
【図２】
2011523823.tif 000011
【図３】
2011523823.tif 000012
【図４】
2011523823.tif 000013
【図５】
2011523823.tif 000014
【国際調査報告】
2011523823.tif 000015
2011523823.tif 000016